(57)【特許請求の範囲】
【請求項１】
前後に並置された複数枚の扉のそれぞれに張力部材を介して扉と同一若しくは略同一な重さの錘が連結されて各扉の上下方向のスライドが可能とされ、各扉は、その左右両端部において支持プレートにより支持され、この支持プレートの表裏いずれかの面に前記張力部材の一端が接続され、支持プレートの張力部材が接続された側の部位、錘が、それぞれ、中空柱状の縦枠の中空部に収納可能とされ、この縦枠において支持プレートの前記部位を収納する中空部と錘の中空部とが連設一体化されている上下スライド引戸装置であり、縦枠上端に化粧用のキャップが装着可能とされ、このキャップには、張力部材をガイドしてその向きを変えるガイドローラーを回転自在に支持する支持板が下方に垂設一体化され、支持板の表裏いずれかの面において張力部材のガイドが必要とされる部位にガイドローラーが回転自在に配設され、このガイドローラーの周りへの張力部材の掛け回しが可能とされていることを特徴とする上下スライド引戸装置。
【請求項２】
支持板に配設されたガイドローラーの一部の外形と同一形状を下面に有する張力部材押さえ板が支持板に取付可能とされ、この張力部材押さえ板は、取付け時にガイドローラーの上方に配置され、張力部材が、ガイドローラーと張力部材押さえ板との間に挟持される請求項１記載の上下スライドガイド引戸装置。
【請求項３】
支持プレートの張力部材が接続された側の部位の頂部にラッチが配設され、このラッチに対向する支持板下部に、ラッチのスムーズな嵌脱が可能とされたラッチ受けが一体に設けられている請求項１又は２記載の上下スライド引戸装置。
【発明の詳細な説明】
【０００１】
【発明の属する技術分野】
この出願の発明は、上下スライド引戸装置に関するものである。さらに詳しくは、この出願の発明は、部品点数の削減とともに構造の簡略化を図り、組立作業性に優れた上下スライド引戸装置に関するものである。
【０００２】
【従来の技術】
キャビネット本体の前面開口部を開閉する戸には開き戸、引戸などが知られているが、上下方向にスライドしてキャビネット本体の前面開口部を開閉する上下スライド引戸装置が提案されてもいる。
【０００３】
この上下スライド引戸装置は、たとえば図６に示すことができ、扉（１）が、キャビネット本体（２）の前面開口部（３）において上下方向にスライドするのを可能としたものであり、扉（１）の上下方向のスライドにより前面開口部（３）の開閉を行うことができる。
【０００４】
具体的には、上下スライド引戸装置では、扉（１）にワイヤー、ロープなどの張力部材（４）を介して棒状などの形状に形成された錘（５）が連結されている。錘（５）は、扉（１）と同一若しくは略同一な重さを有し、キャビネット本体（２）の高さ方向にのびる、たとえばキャビネット本体（２）の背板側などに設けられるガイドレール（６）に沿って扉（１）と同じく上下方向にスライド自在とされている。この錘（５）と扉（１）とを連結する張力部材（４）はガイドローラー（７）によりガイドされている。したがって、上下スライド引戸装置では、扉（１）を上下方向にスライドさせ、任意の位置に停止させておくことができる。
【０００５】
【発明が解決しようとする課題】
しかしながら、以上の上下スライド引戸装置には幾つかの問題が指摘される。その一つに装置の組立作業性についての問題がある。
【０００６】
すなわち、図６に示した上下スライド引戸装置では、張力部材（４）をガイドするガイドローラー（７）が、図７＜ａ＞＜ｂ＞に示したように、幾つかの種類のガイドブロック（８）に組み込まれ、このガイドブロック（８）はそれぞれが単体とされているため、キャビネット本体（２）への上下スライド引戸装置の配設に際しては、そのガイドブロック（８）を、図６及び図７＜ａ＞に示したように、キャビネット本体（２）の天板（９）の前後両端部に取り付け、また、図６及び図７＜ｂ＞に示したように、扉（１）の裏面に取り付けなければならない。したがって、図６に示した上下スライド引戸装置は、組立作業性が決して良好とはいえず、ガイドブロック（８）の取付けは手間のかかるものとなっている。しかも、上記の通り、ガイドブロック（８）はそれぞれが単体であるため、上下スライド引戸装置は部品点数が多くなっている。これも、上下スライド引戸装置の組立作業性に重大な影響を及ぼす。
【０００７】
この出願の発明は、このような事情に鑑みてなされたものであり、部品点数の削減とともに構造の簡略化を図り、組立作業性に優れた上下スライド引戸装置を提供することを解決すべき課題としている。
【０００８】
【課題を解決するための手段】
この出願の発明は、以上の課題を解決するものとして、前後に並置された複数枚の扉のそれぞれに張力部材を介して扉と同一若しくは略同一な重さの錘が連結されて各扉の上下方向のスライドが可能とされ、各扉は、その左右両端部において支持プレートにより支持され、この支持プレートの表裏いずれかの面に前記張力部材の一端が接続され、支持プレートの張力部材が接続された側の部位、錘が、それぞれ、中空柱状の縦枠の中空部に収納可能とされ、この縦枠において支持プレートの前記部位を収納する中空部と錘の中空部とが連設一体化されている上下スライド引戸装置であり、縦枠上端に化粧用のキャップが装着可能とされ、このキャップには、張力部材をガイドしてその向きを変えるガイドローラーを回転自在に支持する支持板が下方に垂設一体化され、支持板の表裏いずれかの面において張力部材のガイドが必要とされる部位にガイドローラーが回転自在に配設され、このガイドローラーの周りへの張力部材の掛け回しが可能とされていることを特徴とする上下スライド引戸装置（請求項１）を提供する。
【０００９】
またこの出願の発明は、支持板に配設されたガイドローラーの一部の外形と同一形状を下面に有する張力部材押さえ板が支持板に取付可能とされ、この張力部材押さえ板は、取付け時にガイドローラーの上方に配置され、張力部材が、ガイドローラーと張力部材押さえ板との間に挟持されること（請求項２）、支持プレートの張力部材が接続された側の部位の頂部にラッチが配設され、このラッチに対向する支持板下部に、ラッチのスムーズな嵌脱が可能とされたラッチ受けが一体に設けられていること（請求項３）をそれぞれ一態様として提供する。
【００１０】
以下、図面に沿ってこの出願の発明の上下スライド引戸装置についてさらに詳しく説明する。
【００１１】
なお、以下の実施形態において扉の枚数は２枚が例示されているが、この出願の発明の上下スライド引戸装置は特に２枚扉に限定されることはなく、２枚以上の複数枚の扉を対象としている。
【００１２】
【発明の実施の形態】
図１＜ａ＞＜ｂ＞＜ｃ＞は、それぞれ、この出願の発明の上下スライド引戸装置の一実施形態をキャビネット本体とともに示した透視正面図、側断面図、平面図である。図２は、この出願の発明の上下スライド引戸装置における左側の縦枠部分を具体的に示した横断面図である。図３＜ａ＞＜ｂ＞は、それぞれ、図２に示した縦枠部分の縦断面図、上端部の横断面図である。
【００１３】
この出願の発明の上下スライド引戸装置では、図１＜ａ＞＜ｂ＞＜ｃ＞に示したように、前後に並置された複数枚の扉（１）のそれぞれに、図６に示したようなワイヤー、ロープなどの張力部材（４）を介して扉（１）と同一若しくは略同一な重さの錘（５）が連結され、各扉（１）の上下方向のスライドが可能とされている。各扉（１）は、図２に示したように、その左右両端部に配設された縦框（１０）などにおいて支持プレート（１１）を接続し、これに支持されている。この支持プレート（１１）の表裏いずれかの面には、図３＜ａ＞＜ｂ＞に示したように、張力部材（４）の一端が接続されている。そして、図２に示したように、支持プレート（１１）の張力部材（４）が接続された側の部位（１１ａ）、錘（５）は、それぞれ、中空柱状の縦枠（１２）の中空部（１２ａ）（１２ｂ）に収納可能とされている。これらの中空部（１２ａ）（１２ｂ）は、縦枠（１２）において連設一体化されている。
【００１４】
また、この出願の発明の上下スライド引戸装置では、図３＜ａ＞＜ｂ＞に示したように、縦枠（１２）の上端に化粧用のキャップ（１３）が装着可能とされている。このキャップ（１３）の一形態を示したのが、図４＜ａ＞＜ｂ＞の正面図、側面図である。
【００１５】
この図４＜ａ＞＜ｂ＞に示したように、キャップ（１３）には、図３＜ａ＞＜ｂ＞に示した張力部材（４）をガイドしてその向きを変えるガイドローラー（１４）を回転自在に支持する支持板（１５）が下方に垂設一体化されている。そして、支持板（１５）の表裏いずれかの面において張力部材（４）のガイドが必要とされる部位に、回転軸を立設するなどによりガイドローラー（１４）が回転自在に配設され、このガイドローラー（１４）の周りへの張力部材（４）の掛け回しが可能とされている。
【００１６】
以上の構成を有するこの出願の発明の上下スライド引戸装置では、扉（１）と錘（５）とを連結する張力部材（４）をガイドするガイドローラー（１４）が、縦枠（１２）の上端に装着可能とされた化粧用のキャップ（１３）に一体に垂設された支持板（１５）に配設されているため、図６に示した上下スライド引戸装置のように、個々のガイドブロック（８）を用意する必要がなく、張力部材（４）のガイド機構が縦枠（１２）の一箇所に集約されている。つまり、この出願の発明の上下スライド引戸装置では、キャビネット本体（２）に張力部材（４）のガイド機構を設ける必要がない。このように、この出願の発明の上下スライド引戸装置は、図６に示した上下スライド引戸装置に比べ、部品点数が少なく、しかも、張力部材（４）を引き回すための構造が簡略化されている。この出願の発明の上下スライド引戸装置では、たとえば、支持プレート（１１）と錘（５）とをワイヤー、ロープなどの張力部材（４）によりあらかじめ連結し、図２に示したように、縦枠（１２）のそれぞれの中空部（１２ａ）（１２ｂ）に収納した状態において張力部材（４）を縦枠（１２）の上端から引き出し、図３＜ａ＞＜ｂ＞に示した所定のガイドローラー（１４）の周りに掛け回し、この後にキャップ（１３）を縦枠（１２）の上端に装着することにより組み立てることができる。このように、この出願の発明の上下スライド引戸装置は、組立作業性に優れている。
【００１７】
なお、この出願の発明の上下スライド引戸装置には、図３＜ａ＞及び図５に示したように、支持板（１５）に配設されたガイドローラー（１４）の一部の外形と同一形状を下面（１６）に有する張力部材押さえ板（１７）を支持板（１５）に取り付けることができる。取付けに際し、張力部材押さえ板（１７）は、ガイドローラー（１４）の上方に配置することができ、張力部材（４）をガイドローラー（１４）とこの張力部材押さえ板（１７）との間に挟持し、抜外れを防止することができる。
【００１８】
また、図３＜ａ＞及び図４＜ｂ＞に示したように、この出願の発明の上下スライド引戸装置には、支持プレート（１１）の張力部材（４）が接続された側の部位（１１ａ）の頂部に、たとえば上部を断面円弧形状などに形成することのできるラッチ（１８）を配設し、このラッチ（１８）に対向する支持板（１５）の下部に、ラッチ（１８）のスムーズな嵌脱を可能としたラッチ受け（１９）を一体に設けることができる。これらのラッチ（１８）及びラッチ受け（１９）は、図１＜ａ＞＜ｂ＞に示した扉（１）が上端まで引き上げられた時にその状態を安定に保持し、振動、衝撃などによる不意の落下を防止するのに有効であり、また、扉（１）の引き下げを容易にする。スムーズな嵌脱を実現するために、ラッチ受け（１９）には、図３＜ａ＞及び図４＜ｂ＞に示したように、たとえば、その下端部に前後にそれぞれ向かう逃げ（２０）を形成することができる。
【００１９】
この出願の発明の上下スライド引戸装置では、これらの張力部材押さえ板（１７）及びラッチ受け（１９）もまた以上のようにキャップ（１３）に集約することができ、構造は簡略化され、組立作業性が良好である。
【００２０】
さらに、この出願の発明の上下スライド引戸装置では、図２に示したように、縦枠（１２）は、キャビネット本体（２）の側板（２１）の前端にネジなどにより取り付けることができる。また、支持プレート（１１）の表裏いずれかの面にはローラー（２２）を、錘（５）の表裏いずれかの面にもローラー（２３）を配設することができ、縦枠（１２）の中空部（１２ａ）（１２ｂ）には、ローラー（２２）（２３）をそれぞれガイドする複数本のレール（２４）（２５）を、縦枠（１２）の内面に中空部（１２ａ）（１２ｂ）に突出させて一体に設けることができる。以上の構成により、扉（１）、錘（５）は、それぞれ、レール（２４）（２５）にローラー（２２）（２３）がガイドされて上下にスムーズにスライド自在となる。
【００２１】
もちろん、この出願の発明は、以上の実施形態によって限定されるものではない。扉、錘及び縦枠の構成及び構造や扉の枚数などの細部については様々な態様が可能であることはいうまでもない。
【００２２】
【発明の効果】
以上詳しく説明した通り、この出願の発明によって、部品点数の削減とともに構造の簡略化が図られ、上下スライド引戸装置は、組立作業性の優れたものとなる。
【図面の簡単な説明】
【図１】＜ａ＞＜ｂ＞＜ｃ＞は、それぞれ、この出願の発明の上下スライド引戸装置の一実施形態をキャビネット本体とともに示した透視正面図、側断面図、平面図である。
【図２】この出願の発明の上下スライド引戸装置における左側の縦枠部分を具体的に示した横断面図である。
【図３】＜ａ＞＜ｂ＞は、それぞれ、図２に示した縦枠部分の縦断面図、上端部の横断面図である。
【図４】＜ａ＞＜ｂ＞は、この出願の発明の上下スライド引戸装置における縦枠上端部に装着可能とされた化粧用のキャップの一形態を示した正面図、側面図である。
【図５】図４に示した化粧用のキャップに取付可能とされた張力部材押さえ板の一形態を示した正面図である。
【図６】この出願以前に提案されている上下スライド引戸装置の概要を示した斜視図及び要部拡大斜視図である。
【図７】＜ａ＞＜ｂ＞は、それぞれ、図６に示したこの出願以前に提案されている上下スライド引戸装置を組み立てる際のガイドブロックの取付けについて示した要部斜視図である。
【符号の説明】
１    扉
２    キャビネット本体
３    前面開口部
４    張力部材
５    錘
６    ガイドレール
７    ガイドローラー
８    ガイドブロック
９    天板
１０    縦框
１１    支持プレート
１１ａ  張力部材が接続された側の部位
１２    縦枠
１２ａ、１２ｂ    中空部
１３    キャップ
１４    ガイドローラー
１５    支持板
１６    下面
１７    張力部材押さえ板
１８    ラッチ
１９    ラッチ受け
２０    逃げ
２１    側板
２２、２３    ローラー
２４、２５    レール
【図１】
0003620503.tif 000002
【図２】
0003620503.tif 000003
【図３】
0003620503.tif 000004
【図４】
0003620503.tif 000005
【図５】
0003620503.tif 000006
【図６】
0003620503.tif 000007
【図７】
0003620503.tif 000008